(57)【特許請求の範囲】
【請求項１】
自動車のドアやサンルーフなどのように、車体の開口部を開閉する開閉物の周縁や、前記開口部の周縁に取付けられる取付基部と、その取付基部に一体化され、芯線がそれぞれ埋設された２つの導電部が空間部を介して設けられたチューブ状の中空部を備えるとともに、前記中空部は、前記取付基部に対してその車内側端部及び車外側端部が互いに間をあけて連結され、前記開閉物の閉時に前記開閉物と前記開口部との間に挟み込まれた異物により前記中空部が押圧されて潰れると、それに対応した電気信号の変化によって前記異物の存在を検知し、端末部分では長手方向に引き出された前記芯線が制御装置に接続されたリード線に結線されてなるセンサー付きプロテクターであって、
前記２つの導電部は、前記取付基部側に設けられた中空下部導電部と、先端側に設けられた中空上部導電部からなり、前記空間部の車外側端部が前記中空部の外殻内周面に直接連設されるような形状でかつ配置されてなるとともに、その空間部の車外側端部が前記中空部の外殻内周面に直接連設された部位における前記中空部の外殻外周面を、前記中空部の外殻内周面に対して、外側に向けて突出させて、突出させない場合と比較して前記中空部の外殻内周面と外殻外周面の間の肉厚を厚肉とする曲面状の第一凸条部を形成し、
前記２つの導電部は、前記空間部の車内側端部も前記中空部の外殻内周面に直接連設されるような形状でかつ配置されてなるとともに、その空間部の車内側端部が前記中空部の外殻内周面に直接連設された部位における前記中空部の外殻外周面を、前記中空部の外殻内周面に対して、外側に向けて突出させて、突出させない場合と比較して前記中空部の外殻内周面と外殻外周面の間の肉厚を厚肉とする曲面状の第二凸条部を形成したことを特徴とするセンサー付きプロテクター。
【請求項２】
自動車のドアやサンルーフなどのように、車体の開口部を開閉する開閉物の周縁や、前記開口部の周縁に取付けられる取付基部と、その取付基部に一体化され、芯線がそれぞれ埋設された２つの導電部が空間部を介して設けられたチューブ状の中空部を備えるとともに、前記中空部は、前記取付基部に対してその車内側端部及び車外側端部が互いに間をあけて連結され、前記開閉物の閉時に前記開閉物と前記開口部との間に挟み込まれた異物により前記中空部が押圧されて潰れると、それに対応した電気信号の変化によって前記異物の存在を検知し、端末部分では長手方向に引き出された前記芯線が制御装置に接続されたリード線に結線されてなるセンサー付きプロテクターであって、
前記２つの導電部は、前記取付基部側に設けられた中空下部導電部と、先端側に設けられた中空上部導電部からなり、前記空間部の車外側端部が前記中空部の外殻内周面に直接連設されるような形状でかつ配置されてなるとともに、その空間部の車外側端部が前記中空部の外殻内周面に直接連設された部位における前記中空部の外殻外周面を、断面形状を変えない前記中空部の外殻内周面に対して、外側に向けて突出させて、突出させない場合と比較して前記中空部の外殻内周面と外殻外周面の間の肉厚を厚肉とする曲面状の第一凸条部を形成し、
前記２つの導電部は、前記空間部の車内側端部も前記中空部の外殻内周面に直接連設されるような形状でかつ配置されてなるとともに、その空間部の車内側端部が前記中空部の外殻内周面に直接連設された部位における前記中空部の外殻外周面を、断面形状を変えない前記中空部の外殻内周面に対して、外側に向けて突出させて、突出させない場合と比較して前記中空部の外殻内周面と外殻外周面の間の肉厚を厚肉とする曲面状の第二凸条部を形成したことを特徴とするセンサー付きプロテクター。
【請求項３】
自動車のドアやサンルーフなどのように、車体の開口部を開閉する開閉物の周縁や、前記開口部の周縁に取付けられる取付基部と、その取付基部に一体化され、芯線がそれぞれ埋設された２つの導電部が空間部を介して設けられたチューブ状の中空部を備えるとともに、前記中空部は、前記取付基部に対してその車内側端部及び車外側端部が互いに間をあけて連結され、前記開閉物の閉時に前記開閉物と前記開口部との間に挟み込まれた異物により前記中空部が押圧されて潰れると、それに対応した電気信号の変化によって前記異物の存在を検知し、端末部分では長手方向に引き出された前記芯線が制御装置に接続されたリード線に結線されてなるセンサー付きプロテクターであって、
前記２つの導電部は、前記取付基部側に設けられた中空下部導電部と、先端側に設けられた中空上部導電部からなり、前記空間部の車外側端部が前記中空部の外殻内周面に直接連設されるような形状でかつ配置されてなるとともに、その空間部の車外側端部が前記中空部の外殻内周面に直接連設された部位における前記中空部の外殻外周面を、前記中空部の外殻内周面に対して、外側に向けて突出させて、前記中空部の隣接する部分と比較して前記中空部の外殻内周面と外殻外周面の間の肉厚を厚肉とする曲面状の第一凸条部を形成し、
前記２つの導電部は、前記空間部の車内側端部も前記中空部の外殻内周面に直接連設されるような形状でかつ配置されてなるとともに、その空間部の車内側端部が前記中空部の外殻内周面に直接連設された部位における前記中空部の外殻外周面を、前記中空部の外殻内周面に対して、外側に向けて突出させて、前記中空部の隣接する部分と比較して前記中空部の外殻内周面と外殻外周面の間の肉厚を厚肉とする曲面状の第二凸条部を形成したことを特徴とするセンサー付きプロテクター。
【発明の詳細な説明】
【技術分野】
【０００１】
本発明は、ワゴン車やワンボックスカーなどのように車体の前後に移動するスライドドアやバックドア等のドアやサンルーフなどのように、車体の開口部を開閉する開閉物と、開口部との間に指等の異物が挟み込まれると対応する信号を出力して異物の存在を検知するセンサーが組込まれたセンサー付きプロテクターに関する。
【背景技術】
【０００２】
図６に示すように、ワゴン車などのようにスライドドア１（あるいはバックドア）によって車体の開口部を開閉する自動車や、図７に示すように、サンルーフ２によって車体の開口部を開閉する自動車においては、センサー付きプロテクター１０，２０が取付けられている。
【０００３】
例えば、スライドドア１の前端面には、車体前側に向けて突設され、図８に示すような、車両上下に延びるセンサー付きプロテクター１０が取付けられている。
センサー付きプロテクター１０は、図９及び図１０に示すように、スライドドア１の前端面に取付けられる、車内側壁１１ａ，車外側壁１１ｂ及び連結壁１１ｃからなる断面略Ｕ字形状の取付基部１１とそれに一体成形された中空部１２を備え、中空部１２には、スライドドア１とボディ側開口部（フロントドア（サイドドア）の場合もある）との間に人体の一部（指や手足）などの異物が挟まった場合にその挟み込みを検知して対応する電気信号を出力するセンサー（感圧センサー）Ｓが取付けられている（例えば、特許文献１参照）。
なお、センサー付きプロテクター１０の下部では、取付基部１１の車内側壁１１ａ側に断面Ｃ字形状のチャンネル部１３が一体成形されていて、感圧センサーＳに接続されるワイヤーハーネスＷを保持している。また、取付基部１１の内側には複数の保持リップ１４，１４が設けられ、また取付基部１１には剛性をアップさせるために断面略Ｕ字形状の芯材１５が埋設されている。さらに取付基部１１の車外側壁１１ｂには装飾用リップ１６が設けられている。
【０００４】
センサー（感圧センサー）Ｓは、車両上下方向（長手方向）に延びる２本の芯線（電極線）３１，３２が、空間部３３を介して設けられた導電性のゴム様弾性体（導電部）３４，３５に埋設されるようにして中空部１２内に固定されてなるもので、スライドドア１の閉時にスライドドア１とボディ側開口部との間に異物が挟み込まれると中空部１２が部分的に押圧されて潰れ、ゴム様弾性体３４，３５が接触して２本の芯線３１，３２が短絡するようになっている。そして、この電気信号の変化が、センサー付きプロテクター１０の下側端末部分で２本の芯線３１，３２に結線されたリード線３６，３６に接続された制御装置４０に伝えられることによって異物の存在が検知される。なおリード線３６，３６は絶縁体で被覆された状態でワイヤーハーネスＷによって束ねられているが、先端は被覆部３７，３７からむき出した裸線となっている。
【先行技術文献】
【特許文献】
【０００５】
【特許文献１】特開２００８−４４５９０号公報
【発明の概要】
【発明が解決しようとする課題】
【０００６】
しかしながら、中空部１２の内周面において、２つの導電性のゴム様弾性体（導電部）３４，３５が埋設された部分はその分、肉厚が厚くなるので強度的に強いが、導電部３４，３５のない部分、すなわち中空部１２の断面形状において空間部３３の両端３３ａ，３３ｂが中空部１２の外殻内周面に連設する部分では肉厚が薄く強度的に弱いため、図１１に示すように、人の乗降車時にカギ等の突起物Ｚが強く当接することによって強度的に弱い部分が破損したり破れたりする恐れがあった。
【０００７】
また、図１１に示したものは、空間部３３の断面形状が略長方形状（略矩形状）であるが、ゴム様弾性体３４，３５の形状及び配置によっては空間部の両端３３ａ，３３ｂが中空部１２の外殻内周面に連設する部分が、中空部１２の断面形状において取付基部１１側に位置する場合がある。このような場合、空間部３３の両端３３ａ，３３ｂが中空部１２の外殻内周面に連設する部分の位置は、カギ等の突起物Ｚが特に引っかかりやすい位置となるので破損や破れの危険性は大きい。
【０００８】
このように中空部１２が破れてしまうと雨水や洗車水などが浸入してセンサー機能が失われ、その結果、スライドドア１やサンルーフ２の開閉が誤動作するといった不具体が懸念される。
【０００９】
なお、特許文献１に記載された発明は、中空部と連径部を介した保持部とを熱可塑性エラストマーで一体に形成し、中空部の内面上部の内壁層と内面下部に設けた膨出部には熱可塑性エラストマーにカーボンを１０重量％以上混合した混合合成樹脂を以って成形することによって、中空部の押圧後の復元力を充分に達成できるようにしたものであるが、中空部の薄肉部にカギ等の突起物Ｚが当接して中空部が破損したり破れたりすることを防止するものではなく、これに関連した発想は一切記載されていない。
しかも、中空部と保持部とは一本の連径部で接続されているので中空部の転びによって安定した状態でセンサー機能が発揮されない恐れがある。
【００１０】
そこで、本発明の目的とするところは、異物の当接によって破損等が生じることを防止しうるセンサー付きプロテクターを提供することにある。
【課題を解決するための手段】
【００１１】
上記の目的を達成するために、本発明のセンサー付きプロテクターは、自動車のドア（１）やサンルーフ（２）などのように、車体の開口部を開閉する開閉物の周縁や、前記開口部の周縁に取付けられる取付基部（１１）と、その取付基部（１１）に一体化され、芯線（３１，３２）がそれぞれ埋設された２つの導電部（３４，３５）が空間部（３３）を介して設けられたチューブ状の中空部（１２）を備えるとともに、前記中空部（１２）は、前記取付基部（１１）に対してその車内側端部（１２ａ）及び車外側端部（１２ｂ）が互いに間をあけて連結され、前記開閉物の閉時に前記開閉物と前記開口部との間に挟み込まれた異物により前記中空部（１２）が押圧されて潰れると、それに対応した電気信号の変化によって前記異物の存在を検知し、端末部分では長手方向に引き出された前記芯線（３１，３２）が制御装置（４０）に接続されたリード線（３６，３６）に結線されてなるセンサー付きプロテクター（１０）であって、
前記２つの導電部（３４，３５）は、前記取付基部（１１）側に設けられた中空下部導電部（３５）と、先端側に設けられた中空上部導電部（３４）からなり、前記空間部（３３）の車外側端部（３３ｂ）が前記中空部（１２）の外殻内周面に直接連設されるような形状でかつ配置されてなるとともに、その空間部（３３）の車外側端部（３３ｂ）が前記中空部（１２）の外殻内周面に直接連設された部位における前記中空部（１２）の外殻外周面を、前記中空部（１２）の外殻内周面に対して外側に向けて突出させて、突出させない場合と比較して前記中空部（１２）の外殻内周面と外殻外周面の間の肉厚を厚肉とする曲面状の第一凸条部（１２３）を形成し、
前記２つの導電部（３４，３５）は、前記空間部（３３）の車内側端部（３３ａ）も前記中空部（１２）の外殻内周面に直接連設されるような形状でかつ配置されてなるとともに、その空間部（３３）の車内側端部（３３ａ）が前記中空部（１２）の外殻内周面に直接連設された部位における前記中空部（１２）の外殻外周面を、前記中空部（１２）の外殻内周面に対して外側に向けて突出させて、突出させない場合と比較して前記中空部（１２）の外殻内周面と外殻外周面の間の肉厚を厚肉とする曲面状の第二凸条部（１２４）を形成したことを特徴とする。
なお、ここで、「電気信号の変化」には、２本の芯線が短絡することによる変化や、静電容量の変化が含まれる。
【００１２】
また本発明のセンサー付きプロテクターは、自動車のドア（１）やサンルーフ（２）などのように、車体の開口部を開閉する開閉物の周縁や、前記開口部の周縁に取付けられる取付基部（１１）と、その取付基部（１１）に一体化され、芯線（３１，３２）がそれぞれ埋設された２つの導電部（３４，３５）が空間部（３３）を介して設けられたチューブ状の中空部（１２）を備えるとともに、前記中空部（１２）は、前記取付基部（１１）に対してその車内側端部（１２ａ）及び車外側端部（１２ｂ）が互いに間をあけて連結され、前記開閉物の閉時に前記開閉物と前記開口部との間に挟み込まれた異物により前記中空部（１２）が押圧されて潰れると、それに対応した電気信号の変化によって前記異物の存在を検知し、端末部分では長手方向に引き出された前記芯線（３１，３２）が制御装置（４０）に接続されたリード線（３６，３６）に結線されてなるセンサー付きプロテクター（１０）であって、
前記２つの導電部（３４，３５）は、前記取付基部（１１）側に設けられた中空下部導電部（３５）と、先端側に設けられた中空上部導電部（３４）からなり、前記空間部（３３）の車外側端部（３３ｂ）が前記中空部（１２）の外殻内周面に直接連設されるような形状でかつ配置されてなるとともに、その空間部（３３）の車外側端部（３３ｂ）が前記中空部（１２）の外殻内周面に直接連設された部位における前記中空部（１２）の外殻外周面を、断面形状を変えない前記中空部（１２）の外殻内周面に対して外側に向けて突出させて、突出させない場合と比較して前記中空部（１２）の外殻内周面と外殻外周面の間の肉厚を厚肉とする曲面状の第一凸条部（１２３）を形成し、
前記２つの導電部（３４，３５）は、前記空間部（３３）の車内側端部（３３ａ）も前記中空部（１２）の外殻内周面に直接連設されるような形状でかつ配置されてなるとともに、その空間部（３３）の車内側端部（３３ａ）が前記中空部（１２）の外殻内周面に直接連設された部位における前記中空部（１２）の外殻外周面を、断面形状を変えない前記中空部（１２）の外殻内周面に対して外側に向けて突出させて、突出させない場合と比較して前記中空部（１２）の外殻内周面と外殻外周面の間の肉厚を厚肉とする曲面状の第二凸条部（１２４）を形成したことを特徴とする。
さらに本発明のセンサー付きプロテクターは、自動車のドア（１）やサンルーフ（２）などのように、車体の開口部を開閉する開閉物の周縁や、前記開口部の周縁に取付けられる取付基部（１１）と、その取付基部（１１）に一体化され、芯線（３１，３２）がそれぞれ埋設された２つの導電部（３４，３５）が空間部（３３）を介して設けられたチューブ状の中空部（１２）を備えるとともに、前記中空部（１２）は、前記取付基部（１１）に対してその車内側端部（１２ａ）及び車外側端部（１２ｂ）が互いに間をあけて連結され、前記開閉物の閉時に前記開閉物と前記開口部との間に挟み込まれた異物により前記中空部（１２）が押圧されて潰れると、それに対応した電気信号の変化によって前記異物の存在を検知し、端末部分では長手方向に引き出された前記芯線（３１，３２）が制御装置（４０）に接続されたリード線（３６，３６）に結線されてなるセンサー付きプロテクター（１０）であって、
前記２つの導電部（３４，３５）は、前記取付基部（１１）側に設けられた中空下部導電部（３５）と、先端側に設けられた中空上部導電部（３４）からなり、前記空間部（３３）の車外側端部（３３ｂ）が前記中空部（１２）の外殻内周面に直接連設されるような形状でかつ配置されてなるとともに、その空間部（３３）の車外側端部（３３ｂ）が前記中空部（１２）の外殻内周面に直接連設された部位における前記中空部（１２）の外殻外周面を、前記中空部（１２）の外殻内周面に対して外側に向けて突出させて、前記中空部（１２）の隣接する部分と比較して前記中空部（１２）の外殻内周面と外殻外周面の間の肉厚を厚肉とする曲面状の第一凸条部（１２３）を形成し、
前記２つの導電部（３４，３５）は、前記空間部（３３）の車内側端部（３３ａ）も前記中空部（１２）の外殻内周面に直接連設されるような形状でかつ配置されてなるとともに、その空間部（３３）の車内側端部（３３ａ）が前記中空部（１２）の外殻内周面に直接連設された部位における前記中空部（１２）の外殻外周面を、前記中空部（１２）の外殻内周面に対して外側に向けて突出させて、前記中空部（１２）の隣接する部分と比較して前記中空部（１２）の外殻内周面と外殻外周面の間の肉厚を厚肉とする曲面状の第二凸条部（１２４）を形成したことを特徴とする。
【００１８】
なお、括弧内の記号は、図面および後述する発明を実施するための形態に記載された対応要素または対応事項を示す。
【発明の効果】
【００２１】
本発明によれば、空間部の車外側端部が中空部の外殻内周面に直接連設された部位における中空部の外殻外周面を外側に向けて突出させて曲面状の第一凸条部を形成することによっても、中空部の車外側から進入したカギ等の突起物が第一凸条部に当接するとその荷重は、車外側において中空部の先端側あるいは後端側（取付基部側）に逃がされる。
同様に、空間部の車内側端部が中空部の外殻内周面に直接連設された部位における中空部の外殻外周面を外側に向けて突出させて曲面状の第二凸条部を形成することによっても、中空部の車内側から進入したカギ等の突起物が第二凸条部に当接するとその荷重は、車内側において中空部の先端側あるいは後端側（取付基部側）に逃がされる。
これらによれば、中空部の外殻外周面を外側に向けて突出させるだけで曲面状の第一凸条部や曲面状の第二凸条部を形成することができるので、中空部の外殻内周面については断面形状を変える必要はない。
よって、人の乗降車時にカギ等の突起物が車外側、又は車内側から強く当接することがあったとしてもその当接によって中空部に加わる衝撃は、軽減されるので中空部の肉厚の薄い部位に対する破損や破れの発生が効率的に防止される。
したがって、中空部から水が浸入することでセンサー機能が失われ、スライドドアやサンルーフの開閉が誤動作するといった不具体が、中空部の車外側の断面形状を僅かに変えるだけの構造で回避することができる。
【図面の簡単な説明】
【００２６】
【図１】本発明の実施形態に係るセンサー付きプロテクターを示す図８のＡ−Ａ線拡大断面図である。
【図２】本発明の実施形態に係る他のセンサー付きプロテクターを示す図８のＡ−Ａ線拡大断面図である。
【図３】本発明の実施形態に係る他のセンサー付きプロテクターを示す図８のＡ−Ａ線拡大断面図である。
【図４】本発明の実施形態に係る他のセンサー付きプロテクターを示す図８のＡ−Ａ線拡大断面図である。
【図５】本発明の実施形態に係る他のセンサー付きプロテクターを示す図８のＡ−Ａ線拡大断面図である。
【図６】スライドドアによって開閉する自動車の側面図である。
【図７】サンルーフが設けられた自動車の斜視図である。
【図８】図６に示すセンサー付きプロテクターを示す側面図である。
【図９】従来例に係るセンサー付きプロテクターを示す図８のＡ−Ａ線拡大断面図である。
【図１０】従来例に係るセンサー付きプロテクターを示す図８のＢ−Ｂ線拡大断面図である。
【図１１】図９に示したセンサー付きプロテクターにカギ等の突起物が当接する様子を示す拡大断面図である。
【発明を実施するための形態】
【００２７】
図面を参照して、本発明の実施形態に係るセンサー付きプロテクターについて説明する。ここで、前後とは車両前後方向を示し、上下とは車両における場合は車両上下方向であり、センサー付きプロテクター１０においては、中空部１２側を上、取付基部１１側を下としている。
本発明の実施形態に係るセンサー付きプロテクター１０は、図６で示したようなスライドドア１によって車体の開口部を開閉する自動車におけるそのスライドドア１の前端面に車体前側に向けて突出するように取付けられ、スライドドア１とボディ側開口部（フロントドア（サイドドア）の場合もある）との間に人体の一部（指や手足）などの異物が挟まった場合にその挟み込みを検知して対応する電気信号を出力するセンサー（感圧センサー）Ｓが取付けられたものであり、図８で示した部分では、従来例で示したものと同一の構成であるが、図８のＡ−Ａ線拡大断面としてセンサー（感圧センサー）Ｓが取付けられた部分を示した図１は、従来例で示した図９のものとは、中空部１２の断面形状を断面略菱形にした点で相違するものである。従来例と同一部分には同一符号を付した。
【００２８】
このセンサー付きプロテクター１０は、図１に示すように、スライドドア１に形成されたフランジ（図示しない）に直接、取付けられる車内側壁１１ａ，車外側壁１１ｂ及び連結壁１１ｃからなる断面略Ｕ字形状の取付基部１１と、その取付基部１１に一体成形され、スライドドア１の閉時にスライドドア１の前端面とその前端面が対向するボディ側開口部との間に指等の異物があるとその異物に弾接するチューブ状の中空部１２と、その中空部１２に組み込まれ異物を検知して対応する電気信号を出力するセンサー（感圧センサー）Ｓを備え、センサー（感圧センサー）Ｓは、車両上下方向（長手方向）に延びる２本の芯線（電極線）３１，３２が、空間部３３を介して設けられた導電性のゴム様弾性体３４，３５に埋設されるようにして中空部１２内に固定されてなる。この導電性のゴム様弾性体３４，３５はＥＰＤＭなどの合成ゴムが主体となった導電ゴムからなり、センサーＳは非導電性の中空部１２と一体成形されている。
【００２９】
取付基部１１の内側には複数の保持リップ１４，１４が設けられ、また取付基部１１には剛性をアップさせるために断面略Ｕ字形状の芯材１５が埋設されている。さらに取付基部１１の車外側壁１１ｂには装飾用リップ１６が設けられている。
【００３０】
中空部１２は、取付基部１１の連結壁１１ｃに一体成形され、先端側が車両前方に向かって突出するようにされている。
中空部１２の連結壁１１Ｃに連結される両端部（車内側端部）１２ａ，（車外側端部）１２ｂが取付基部１１に対して互いに間をあけて連結されている。図１では、中空部１２の車内側端部１２ａと中空部１２の車外側端部１２ｂは車内外方向に間をあけた状態で取付基部１１の連結壁１１ｃに連結されている。
本実施形態では、中空部１２の車内側端部１２ａが取付基部１１の連結壁１１ｃと車内側壁１１ａが連設された角部寄りに連結され、中空部１２の車外側端部１２ｂが取付基部１１の連結壁１１ｃと車内側壁１１ｂが連設された角部から車内側に少し間をあけた（寄った）位置に連結されている。
【００３１】
導電性のゴム様弾性体３４，３５は、中空部１２内において取付基部１１側に設けられた中空下部導電部３５と、同じく中空部１２内において先端側に設けられた中空上部導電部３４からなる導電部であり、中空上部導電部３４の中央には芯線３１が埋設され、中空下部導電部３５の中央には芯線３２が埋設されている。一般に導電性のゴム様弾性体３４，３５は内部に気泡の無いソリッド材が用いられる。
【００３２】
中空上部導電部３４及び中空下部導電部３５の形状、及び中空部１２内における中空上部導電部３４及び中空下部導電部３５の配置によって両導電部３４，３５間に設けられる空間部３３の断面形状が定められ、ここでは、断面形状が略長方形状（略矩形状）に形成されている。そして、空間部３３の車内側端部３３ａ及び車外側端部３３ｂは、中空部１２の内周面（中空部１２の外殻の内周面）にそれぞれ直接連設されるようにしている。
【００３３】
また、センサー付きプロテクター１０の取付基部１１と中空部１２は、例えば、ＥＰＤＭなどの合成ゴムやＴＰＯ，ＴＰＳといった熱可塑性エラストマーからなる非導電性のゴム様弾性体で押出成形された押出成形部を構成するもので、車両における上下端末部分では型成形され外形が整えられている。なお、センサー付きプロテクター１０の中空部１２は、柔軟性を必要とすることから、発泡したスポンジ材が用いられることもある。また取付基部１１も同様に発泡したスポンジ材が用いられることがある。
【００３４】
そして、中空部１２の外殻（中空壁）は、断面略「く」字形状の第一湾曲部１２１の一端と第二湾曲部１２２の一端が連設され、第一湾曲部１２１の他端（中空部１２の車外側端部１２ｂ）と第二湾曲部１２２の他端（中空部１２の車内側端部１２ａ）が取付基部１１の連結壁１１ｃに連設されることによりなるもので、その断面形状は断面略菱形である。
【００３５】
第一湾曲部１２１は、断面略「く」字形状で、空間部３３の車外側端部３３ｂが中空部１２の外殻内周面に直接連設された部位における中空部１２の外殻を外側、すなわち車外側に向けて膨出湾曲させたもので、その第一湾曲部１２１の最も車外側に突出した頂部１２１ａは鋭角ではなく曲面状にしてある。
また、第二湾曲部１２２は、断面略逆「く」字形状で、空間部３３の車内側端部３３ａが中空部１２の外殻内周面に直接連設された部位における中空部１２の外殻を外側に、すなわち車内側に向けて膨出湾曲させたもので、その第二湾曲部１２２の最も車内側に突出した頂部１２２ａも鋭角ではなく曲面状にしてある。
【００３６】
第一湾曲部１２１と第二湾曲部１２２の断面形状における太さ（幅）は、略同一にしているが、第一湾曲部１２１の頂部１２１ａや第二湾曲部１２２の頂部１２２ａを部分的に厚肉にしてもよい。
また、断面形状において、第一湾曲部１２１の頂部１２１ａと第二湾曲部１２２の頂部１２２ａとの距離Ｌに対して中空部１２の付け根部間の距離Ｒは小さい。
【００３７】
このようなセンサー付きプロテクター１０によれば、２つの導電部３４，３５の形状及び配置によってその間の空間部３３の車外側端部３３ｂが中空部１２の内周面に直接連設されるようにされた部位における中空部１２の外殻、すなわち、異物の存在を検知するときに中空部１２の撓み可動部となる肉厚の薄い部位における中空部１２の外殻を外側に向けて膨出湾曲させた第一湾曲部１２１とし、かつその第一湾曲部１２１の頂部１２１ａを曲面状にしたので、図１に示すように、例えば、空間部３３の車外側端部３３ｂが連設された中空部１２の外周面に垂直な方向（矢印Ｘ１で示す方向）で進入したカギ等の突起物Ｚは、第一湾曲部１２１の頂部１２１ａに当接すると曲面状にされた頂部１２１ａのはたらきによって矢印Ｘ２で示すように中空部１２の先端側かあるいは矢印Ｘ３で示すように中空部１２の後端側（取付基部１１側）に傾けられる。
これによって、カギ等の突起物Ｚが第一湾曲部１２１の頂部１２１ａに当接することによる荷重は、中空部１２の先端側あるいは後端側（取付基部側）に逃がされるので、人の乗降車時にカギ等の突起物Ｚが車外側から強く当接することがあったとしてもその当接によって中空部１２に加わる衝撃は軽減され、中空部１２の肉厚の薄い部位に対する破損や破れの発生が効率的に防止される。
【００３８】
また、中空部１２の車内側についても車外側と同様に、２つの導電部３４，３５の形状及び配置によってその間の空間部３３の車内側端部３３ａが中空部１２の内周面に直接連設されるようにされた部位における中空部１２の外殻、すなわち、異物の存在を検知するときに中空部１２の撓み可動部となる肉厚の薄い部位における中空部１２の外殻を外側（ここでは車内側）に向けて膨出湾曲させた第二湾曲部１２２とし、かつその第二湾曲部１２２の頂部１２２ａを曲面状にしたので、図１に示すように、例えば、空間部３３の車内側端部３３ａが連設された中空部１２の外周面に垂直な方向（矢印Ｙ１で示す方向）で進入したカギ等の突起物Ｚは、第二湾曲部１２２の頂部１２２ａに当接すると曲面状された頂部１２２ａのはたらきによって矢印Ｙ２で示すように中空部１２の先端側かあるいは矢印Ｙ３で示すように中空部１２の後端側（取付基部１１側）に傾けられる。
これによって、カギ等の突起物Ｚが第二湾曲部１２２の頂部１２２ａに当接することによる荷重は、中空部１２の先端側あるいは後端側（取付基部側）に逃がされるので、人の乗降車時にカギ等の突起物Ｚが車内側から強く当接することがあったとしてもその当接によって中空部１２に加わる衝撃は軽減され、中空部１２の肉厚の薄い部位に対する破損や破れの発生が効率的に防止される。
【００３９】
また、中空部１２の外殻自体を第一湾曲部１２１及び第二湾曲部１２２で構成することによって、断面形状において第一湾曲部１２１の頂部１２１ａと第二湾曲部１２２の頂部１２２ａ間の距離Ｌよりも中空部１２の付け根部１２ａ，１２ｂ間の距離Ｒの方が小さくなるので、カギ等の突起物Ｚが中空部１２の第一湾曲部１２１の頂部１２１ａや第二湾曲部１２２の頂部１２２ａの位置に当接したときに、中空部１２２の付け根部１２ａ，１２ｂは転ぶ方向（車外側からカギ等の突起物Ｚが当接する場合には車内側の方向，車内側からカギ等の突起物Ｚが当接する場合には車外側の方向）に変形しやすくなりその分、カギ等の突起物Ｚから受ける荷重を逃がすことができる。
【００４０】
したがって、中空部１２から水が浸入することでセンサー機能が失われ、スライドドア１やサンルーフ２の開閉が誤動作するといった不具体が、中空部１２の車外側及び車内側の断面形状を僅かに変えるだけの構造で回避することができる。
【００４１】
なお本実施形態では、図１に示したように、空間部３３の断面形状を略長方形状（略矩形状）に形成したが、図２及び図３に示すように、中空部１２内に凹形状の中空上部導電部５４と凸形状の中空下部導電部５５を設けることで両導電部５４，５５間の空間部５３の断面形状を断面略逆「Ｖ」字状で断面略同一幅とし、「Ｖ」字状の開口部が取付基部１１側に向くように形成することもできる。
空間部５３の形状は様々な大きさにすることができ、図３に示したものの空間部５３の幅は図２で示したものより小さく、また、図３に示したものの空間部５３の両端部５３ａ，５３ｂの位置は図２で示したものより後端（取付基部１１側）で「Ｖ」字の溝が深い。
中空下部導電部５５の断面形状は略山形状で底辺が取付基部１１の連結壁１１ｃに接していて、また中空上部導電部５４の断面形状は略三日月形状で両端部は取付基部１１の連結壁１１ｃ側に近づくように中空部１２の先端から下がっている。
【００４２】
これらの中空上部導電部５４の中央には芯線３１が埋設され、中空下部導電部５５の中央には芯線３２が埋設されている。特に、図３に示したものは、中空上部導電部５４の下部５４ａ位置を、中空下部導電部５５の頂部５５ａ位置よりも取付基部１１側にして、僅かな撓みであっても両導電部５４，５５が容易に接触するようにして、接点のすれ違いを防止している。
また、中空部１２及び中空部１２に設けられる２つの導電部５４，５５及び空間部５３の断面形状については車内側方向と車外側方向に左右半分に仕切る対称軸に左右略対称で、その対称軸上に芯線３１，３２が位置するようにしている。一般に導電性のゴム様弾性体５４，５５は内部に気泡の無いソリッド材が用いられる。
【００４３】
このように、空間部５３の断面形状を断面略逆「Ｖ」字状にしたものは、空間部３３の断面形状を略長方形状（略矩形状）に形成したもの（図１）と比較して、中空部１２の外殻が異物を検知する範囲を広くとることができ、その結果、車内側と車外側に対して広範囲での検知が可能になる。
しかしながら、空間部５３の断面形状を断面略逆「Ｖ」字状にすることによって、中空部１２の内周面に対して連設する空間部５３の両端部５３ａ，５３ｂの位置が取付基部１１側に近づけば近づくほどその薄肉となった部位にカギ等の突起物Ｚが引っかかりやすくなるため、薄肉の部位を保護するように中空部１２の外殻を外側に向けて膨出湾曲させた第一湾曲部１２１及び第二湾曲部１２２としたものは特に有効である。
【００４４】
さらに、図４に示すように、中空部１２内に設けられる凹形状の中空上部導電部５４と凸形状の中空下部導電部５５を設けることで両導電部５４，５５間に形成される空間部５３の断面形状を、断面略逆「Ｖ」字状で断面略同一幅として前記「Ｖ」字状の開口部が取付基部側に向くものとするものであるが、空間部５３の車内側端部５３ａは中空部１２の内周面ではなく取付基部１１に直接連設されるようにすることもできる。
これによれば、中空部１２の車内側の内周面にはその全域にわたって中空上部導電部５４が存在するので、中空部１２の肉厚が車内側では特に薄くなるものではない。よって、カギ等の突起物Ｚが車内側から中空部１２に当接したとしても中空部１２が破損したり破れたりする恐れは少ない。
そして、中空部１２の車外側は第一湾曲部１２１で構成されその頂部１２１ａは曲面状にされているので、カギ等の突起物Ｚが車外側から中空部１２に当接したとしてもその荷重は中空部１２の先端側又は後端側に逃がされることで衝撃は軽減され、中空部１２が破損したり破れたりすることが防止される。
【００４５】
なお、図４で示したものでは、空間部５３の車内側端部５３ａの全面が取付基部１１に直接連設されるようにしたが、空間部５３の車内側端部５３ａの面が取付基部１１に直接連設され、一部の面が中空部１２の外殻の内周面に直接連設されるものであっても、車内側からのカギ等の突起物Ｚの当接に対して中空部１２を保護する効果はある。
【００４６】
また、図４で示したものでは、中空部１２の車外側だけを第一湾曲部１２１で構成し、車内側については同様の第二湾曲部１２２で構成するようにしなかったが、中空部１２の車内側を第二湾曲部１２２で構成することもできるし、図１乃至図３で示したものでは、中空部１２の車外側だけを第一湾曲部１２１で構成し車内側について第二湾曲部１２２としないようにすることもできる。
【００４７】
また、本実施形態では、図１乃至図４で示したように、中空部１２の外殻自体を第一湾曲部１２１や第二湾曲部１２２で構成することによって、カギ等の突起物Ｚから受ける荷重を逃がすようにしたが、図５に示すように、中空部１２の車外側では、空間部３３の車外側端部３３ｂが中空部１２の外殻内周面に直接連設された部位における中空部１２の外殻外周面を外側に向けて突出させて曲面状の第一凸条部１２３を形成し、中空部１２の車内側では、空間部３３の車内側端部３３ａが中空部１２の外殻内周面に直接連設された部位における中空部１２の外殻外周面を外側に向けて突出させて曲面状の第二凸条部１２４を形成し、カギ等の突起物Ｚが断面形状において曲面状の第一凸条部１２３あるいは曲面状の第二凸条部１２４に当接するとその荷重が中空部１２の先端側あるいは後端側（取付基部１１側）に逃がされるようにしてもよい。この場合に空間部３３の一部が凸条部ではない通常の外殻外周面の肉厚となる外殻外周面と連結されていることが望ましい。
なお、図５で示したものにおいても、空間部３３の断面形状を、図２，図３で示したように、断面略逆「Ｖ」字状としたり、図４で示したように、空間部３３の車内側端部３３ａを取付基部１１に直接連設して車内側には第二凸条部１２４を形成しないようにすることもできる。また、曲面状の第一凸条部１２３及び曲面状の第二凸条部１２４の断面形状としては様々なものが考えられ、カギ等の突起物Ｚの荷重を中空部１２の先端側又は後端側（取付基部１１側）に逃がすものであればよい。
【００４８】
特に、図５に示したものによれば、中空部１２の外殻外周面を外側に向けて突出させるだけで曲面状の第一凸条部１２３及び曲面状の第二凸条部１２４を形成することができるので、中空部１２の外殻内周面については断面形状を変える必要はない。
【００４９】
また、本実施形態では取付基部１１と中空部１２及びセンサーＳは一体成形されているが、各々が別々に成形されており、例えば取付基部１１と中空部１２は接着剤や接着テープで固定され、センサーＳが中空部１２へ挿入されることで一体化される構成でもよい。また、取付基部１１と中空部１２及びセンサーＳのうちいずれか２つが一体成形されて残りの一つが別体成形されている構成であってもよい。
さらに本実施形態では、取付基部１１をその内側に複数の保持リップ１４，１４が設けられ、断面略Ｕ字形状の芯材１５が埋設されているものとしたが、このタイプの取付基部１１であっても保持リップ１４が一つであってもよいし、芯材１５が埋設されないものでもよい。またこのようなタイプに限定されることもなく、中空部１２及びセンサーＳを固定するための部位があれば取付基部１１とされ、本実施形態のように断面略Ｕ字形状のもの以外のものも含まれる。よって把持や嵌合されるだけでなく接着テープによって固定される場合でもよく、その形態は様々なものが選択できる。
【００５０】
なお、本発明の実施形態では、スライドドア１が前後方向に移動する自動車において、スライドドア１側にセンサー付きプロテクター１０を取付けたものを例にして説明したが、ボディ側開口部にセンサー付きプロテクター１０を取付け、スライドドア１との間の異物を検知するようにしてよい。
また、センサー付きプロテクター１０をバックドアやサンルーフ２（図７）に適用することもできる。
【符号の説明】
【００５１】
１      スライドドア
２      サンルーフ
１０      センサー付きプロテクター
１１      取付基部
１１ａ    車内側壁
１１ｂ    車外側壁
１１ｃ    連結壁
１２      中空部
１２ａ    中空部の車内側端部
１２ｂ    中空部の車外側端部
１３      チャンネル部
１４      保持リップ
１５      芯材
１６      装飾用リップ
２０      センサー付きプロテクター
３１，３２      芯線
３３      空間部
３３ａ    空間部の車内側端部
３３ｂ    空間部の車外側端部
３４，３５      ゴム様弾性体
３６      リード線
３７      被覆部
５３      空間部
５３ａ    空間部の車内側端部
５３ｂ    空間部の車外側端部
５４      中空上部導電部
５４ａ    中空上部導電部の下部
５５      中空下部導電部
５５ａ    中空下部導電部の頂部
１２１      第一湾曲部
１２１ａ    第一湾曲部の頂部
１２２      第二湾曲部
１２２ａ    第二湾曲部の頂部
１２３      第一凸条部
１２４      第二凸条部
Ｓ      センサー（感圧センサー）
Ｗ      ワイヤーハーネス
Ｚ      カギ等の突起物
【図１】
0006424073.tif 000002
【図２】
0006424073.tif 000003
【図３】
0006424073.tif 000004
【図４】
0006424073.tif 000005
【図５】
0006424073.tif 000006
【図６】
0006424073.tif 000007
【図７】
0006424073.tif 000008
【図８】
0006424073.tif 000009
【図９】
0006424073.tif 000010
【図１０】
0006424073.tif 000011
【図１１】
0006424073.tif 000012